(57)【要約】      （修正有）【課題】タンク内に浮上している浮上油を回収する浮上油回収装置と、回収した混合液を液と油に高純度に分離する油水分離装置を提供する。【解決手段】タンク内の液中に浮上する浮上油２７を吸引して回収する浮上油回収装置であって、浮上油を吸引する吸引口２１を備えた吸引部材と、前記吸引口を前記液上に浮上させるフロート２０と、前記フロートを前記吸引部材に固定するフレーム２５と、吸引ホース２４を介して前記吸引部材と接続された吸引ポンプ２と、を備え、前記吸引部材にはナットが接続される長ネジ部が形成されており、前記ナットにより、前記吸込口を上下に調節して前記フレームを前記吸引部材に固定可能に構成して、浮上油回収装置を構成し、さらに回収した混合液を油水分離装置に導く。【選択図】図１
0003153272.tif 000002
【実用新案登録請求の範囲】
【請求項１】
〔図１〕においてフレーム２５にナット２２−ａを介してエルボ２３またはストレートニップル２６を取り付け、さらにフレーム２５にフロート２０を２ヶ又は３ヶ取り付けたシンプルな構造をしたフロート装置。
フロートの数は［図１］では２ヶであるが安定性のため３ヶでもよい。
また、エルボ２３はエルボの代わりにストレートニップル２６でもよい。
【請求項２】
エルボ２３又はストレートニップル２６には長ネジが切ってあり、ナット２２−ａを回すことにより、吸い込み口高さ２１を上下に変えられる構造。
【請求項３】
エルボ２３又はストレートニップル２６の長ネジの反対側にパイプ２８を差し込みナット２８−ａで簡単に固定できる構造。
パイプ２８には吸引ホース２４が接続され、ポンプ２へ繋がっている。
【請求項４】
ポンプ２から圧送された液は分離槽２０内Ｌ字の形をした吐出口３から上に向かって流れ、遮蔽板３で整流されながら、混合液室７に入り、分離槽２０内が傾斜板９で密閉され、分離槽２０の底から入り口がテーパー状の流体管５が上に向かって伸び、流体管５の先端には縦長の切欠穴６があり、外周にはネジが切ってある。さらにこの縦長の切欠穴６の大きさが調整ナット８で上下方向に調整できる構造。
【請求項５】
分離槽２０の内部の最上部には横長の開口部１０があり、ここから油が排出されるが、〔図３〕において傾斜板９の上部には仕切り板１２があり、液の排出口６−ｂと油の排出口１０−ａが二つに分かれている構造。
また、この２つの排出口は〔図３〕では下向きであるが左右どちらに出してもよい。
【考案の詳細な説明】
【技術分野】
【０００１】本考案はタンク内に浮上している浮上油の回収方法と、回収した混合液を油水分離装置内に送り込み、混合液を液と油に高純度に分離することに関する。
【背景技術】
【０００２】従来の浮上油回収方法の吸引はジャバラ構造を利用したゴム装置で、油水分離は平面的な比重差を利用して混合液を油と液に分けていた。【０００３】しかしながら、従来のジャバラ構造の吸引は浮上しているゴミや虫がジャバラ内に入って堆積してしまい、はずしてジャバラ内をいつも掃除する必要があり、液面の高さについても調整をする必要があった。
また、吸引した混合油を油水分離槽内で油水を分離する場合、平面的な仕切りを付けただけの比重差により分離している構造であり、分離した油の中に液が混入して高純度の油にすることができなかった。
【考案の概要】
【考案が解決しようとしている課題】
【０００４】本考案は、以上のような従来の欠点に鑑み、吸入口はシンプルなフロート装置を用いた構造とし、ゴミや異物がたとえ吸入口から入っても掃除をする必要を無くした。
油水分離槽内は、密閉構造として液の出口と油の排出口に高低差を設け、内部を密閉にして油水分離槽内に弱い圧力をかけ、高低差を利用して高い純度の油を排出できるようにした。
【課題を解決するための手段】
【０００５】
【請求項１】
タンク内に浮上している油、ゴミなどを含んだ浮上油２７を、吸入口２１から吸引するため、浮上油回収装置［図１］の構造において、フレーム２５に取り付けられたフロート２０とナット２２−ａを介して取り付けたエルボ２３に吸引ホース２４を取り付けたシンプルな構造。吸い込み口２１の高さはナット２２−ａを回すことにより簡単に上下の調整ができる構造になっている。
フロートの数は［図１］では２ヶであるが安定性のため３ヶでもよい。
また、エルボ２３はエルボの代わりにストレートニップルでもよい。
【請求項２】
請求項１のフロート装置［図１］で吸引した混合液をポンプ２により油水分離槽２０送り込み、吐き出し口３を介して遮蔽板４により制御させて流れるようにし、天井は傾斜板９で密閉された油水分離槽２０の構造と、流体管５が油水分離槽の底から発生し、油水分離槽の入り口には切欠のテーパー部６−ａがある。
さらに、流体管５の上部には切欠穴６があり、切欠穴６の大きさは調整ナット８を回すことにより調節でき、油水分離槽２０内の最上部には開口部１０がある構造。
フロート装置から吸引した浮上油２７は密閉された油水分離槽内に充満し、ポンプで圧送されて弱い圧力がかかっているので液は切欠穴６から外部に出て排出される。
一方、油水分離槽２０内で浮上した油は比重差で浮上して傾斜板９にあたり、さらに上部へと浮上する。この状態では吐き出し口３から出た油の混合液は開口部１０からまだ排出されず、油が上部に溜まっていくが、切欠穴６から液のみの排出が続く。
ここで調整ナット８を回して締め込むと切欠穴６が狭くなり流出量が制限されて油水分離槽２０内の圧力が高まり、油面１１が上昇して開口部１０まで達すると外部へ油が流れ出る。流れ出た油は［図３］により仕切り板１２で切欠穴６と部屋が分かれているので１０−ａより外部に流れ出る。
このとき油面１１の油は全部流れ出てしまうのではなく、切欠穴６と弱い圧力でバランスして一定量の油が浮上して溜まるまで開口部１０から油が排出されない。
つまり、調整ナット８を回すことにより、油面１１の高さが調節できるので、高純度の油のみが開口部１０から排出口１０−ａへと流れます。排出口６−ｂから排出された液は油タンク１へ返します。
【考案の効果】
【０００６】以上の説明から明らかなように、本考案にあっては次に列挙する効果が得られる。
（１）請求項１で構成されているフロート装置の吸い込み口からゴミや異物が入っても問題がなくなり、シンプルな構造でメンテナンスもほとんど必要がない。
フロートを浮かべるだけの方法であるので液面高さを調整する必要もなくなった。
（２）請求項２についても、（１）で吸引した油は油水分離槽内で比重差により、液と油に分離がされるが、油が排出される開口部が高い位置にあるため、油の中にほとんど液の混ざらない油のみが回収できた。
【図面の簡単な説明】
【０００７】
【図１】本考案を実施するための第一の形態の断面図である。
【図２】本考案を実施するための第二の形態の断面図である。
【図３】本考案を実施するための第三の形態の平面図である。
【考案を実施するための形態】
【０００８】以下、本考案の実施の形態を図に基づいて説明する。
【実施例１】
【０００９】図１はタンク内に浮かべたフロート装置の断面図あり、フロート２０により液上に浮いた状態を示す。吸入口２１はナット２２−ａで高さを調整して、油面２７より少し低い位置にあるので、油面２７に浮いた油と液が混合液としてポンプ２により分離槽２０へと運び込まれます。
図２は本考案装置の実施例１の断面図であって、外部に設けたポンプ２によりフロート装置から吸引した混合液は吐出口３から混合液室７に吐出される。混合液は分離槽内に遮蔽板４で整流されながら、比重差で軽い油は上部へ浮き、油より重い液は下部へ溜まる。
分離槽内は密閉されているので、溜まった液は流体管５内を流れ切欠穴６から外へ流れ出る。一方、液の上部に浮いた油１１は、油１１が溜まった分だけ上昇するが、切欠穴６よりかなり高い位置に開口部１０があるため、開口部１０からまだ流れ出ることができない。この状態で油面１１の高さはバランスを保ち、ポンプ２から圧送された液は、流体管５を介して切欠穴６から液のみが排出される。このまま調整ナット８を回して切欠穴６を少し小さくすると切欠穴６から流れ出る液が制限されて、油面１１が上昇し、開口部１０から溜まった油のみが流れ出る。この状態で液面高さのバランスは保たれ、油は油面１１が上昇したときだけ外へ流れ出る。
図３は油水分離槽２０を上から見た上面図であり、テーパー部６−ａから押し流された液は切欠穴６から出て６−ｂへ流れる。開口部１０から出てきた油は傾斜板９の上を流れて、排出口１０−ａから外部へ排出される。
【産業上の利用の可能性】
【００１０】本考案は、エアコンプレッサーのドレン水回収、工作機械の切削液、洗浄機の洗浄液、排水施設の浮上油回収等を使用する産業で利用される。
【符号の説明】
【００１１】タンク１    ポンプ２    吐出口３    遮蔽板４    流体管５    切欠穴６
テーパー部６−ａ    液の排出口６−ｂ    混合液室７    調整ナット８    傾斜板９
開口部１０    油の排出口１０−ａ    油面１１    仕切板１２    油水分離槽２０
吸込口２１    ナット２２−ａ    エルボ２３    吸引ホース２４    フレーム２５
ストレートニップル２６    油面２７    パイプ２８    ナット２８−ａ
【図１】
0003153272.tif 000003
【図２】
0003153272.tif 000004
【図３】
0003153272.tif 000005
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
タンク内の液中に浮上する浮上油を吸引して回収する浮上油回収装置であって、浮上油を吸引する吸引口を備えた吸引部材と、前記吸引口を前記液上に浮上させるフロートと、前記フロートを前記吸引部材に固定するフレームと、吸引ホースを介して前記吸引部材と接続された吸引ポンプと、を備え、前記吸引部材にはナットが接続される長ネジ部が形成されており、前記ナットにより、前記吸込口を上下に調節して前記フレームを前記吸引部材に固定可能に構成されたことを特徴とする浮上油回収装置。
【請求項２】
請求項１に記載の浮上油回収装置から送り込まれた浮上油を液と油に分離する油水分離装置であって、  下方から浮上油が送りこまれる混合液室と、  前記混合液室内に設けられ、混合液を整流する遮蔽板と、  前記混合液室の天井に向かって傾斜して設けられた傾斜板と、  前記混合液室内に一端が挿入され、他端に設けられた切欠穴から液を排出する流体管と、前記切欠穴の大きさを調整する調整ナットと、を備え、前記混合液室の最上部に油を排出させる開口部が形成されていることを特徴とする油水分離装置。
【手続補正２】
【補正対象書類名】明細書
【補正対象項目名】全文
【補正方法】変更
【補正の内容】
【考案の詳細な説明】
【技術分野】
【０００１】本考案はタンク内に浮上している浮上油を回収する浮上油回収装置と、回収した混合液を液と油に高純度に分離する油水分離装置に関する。
【背景技術】
【０００２】従来の浮上油回収方法の吸引はジャバラ構造を利用したゴム装置で、油水分離は平面的な比重差を利用して混合液を油と液に分けていた。例えば、特許文献１には、液体内に設けた基体の外周部に蛇腹筒の一端部を固着し、その他端部をフロート本体の外周側に設けた堰板の外周側に固着し、基体、蛇腹筒およびフロートに囲まれた内部に液体溜めを形成し、堰板の上縁全周から表層液が液体溜め内に流入することで、液体溜めから液体排出管によって表層液を外部に排出する技術  が開示されている。
【先行技術文献】
【特許文献】
【０００３】
【特許文献１】特開平８−１０３７６６号公報
【考案の概要】
【考案が解決しようとする課題】
【０００４】しかしながら、従来のジャバラ構造の吸引は浮上しているゴミや虫がジャバラ内に入って堆積してしまい、はずしてジャバラ内をいつも掃除する必要があり、液面の高さについても調整をする必要があった。また、吸引した混合油を油水分離槽内で油水を分離する場合、平面的な仕切りを付けただけの比重差により分離している構造であり、分離した油の中に液が混入して高純度の油にすることができなかった。本考案は、以上のような従来の欠点に鑑み、ゴミや異物がたとえ吸入口から入っても掃除をする必要を無くした浮上油回収装置を実現することを目的とする。また、浮上油回収装置を用いた油水分離装置では、油水分離槽内は、密閉構造として液の出口と油の排出口に高低差を設け、内部を密閉にして油水分離槽内に弱い圧力をかけ、高低差を利用して高い純度の油を排出できるようにする。
【課題を解決するための手段】
【０００５】この考案は上記課題を解決するためのものであって、請求項１に記載の考案では、タンク内の液中に浮上する浮上油を吸引して回収する浮上油回収装置であって、浮上油を吸引する吸引口を備えた吸引部材と、前記吸引口を前記液上に浮上させるフロートと、前記フロートを前記吸引部材に固定するフレームと、吸引ホースを介して前記吸引部材と接続された吸引ポンプと、を備え、前記吸引部材にはナットが接続される長ネジ部が形成されており、前記ナットにより、前記吸込口を上下に調節して前記フレームを前記吸引部材に固定可能に構成された、という技術的手段を用いる。【０００６】請求項１に記載の考案によれば、吸込口からゴミや異物が入っても問題がなくなり、シンプルな構造でメンテナンスもほとんど必要がない。フロートを浮かべるだけで吸込口の位置を調整できるので、液面高さを調整する必要もない。【０００７】請求項２に記載の考案では、請求項１に記載の浮上油回収装置から送り込まれた浮上油を液と油に分離する油水分離装置であって、下方から浮上油が送りこまれる混合液室と、前記混合液室内に設けられ、混合液を整流する遮蔽板と、前記混合液室の天井に向かって傾斜して設けられた傾斜板と、前記混合液室内に一端が挿入され、他端に設けられた切欠穴から液を排出する流体管と、前記切欠穴の大きさを調整する調整ナットと、を備え、前記混合液室の最上部に油を排出させる開口部が形成されている、という技術的手段を用いる。【０００８】請求項２に記載の考案によれば、浮上油回収装置で吸引した油を混合液室内で比重差により、液と油に分離し、液体管から液を排出することができる。調整ナットにより切欠穴の大きさを調整することにより、油面を高い位置にある開口部まで上昇させることにより、油の中にほとんど液の混ざらない油のみを回収することができる。
【図面の簡単な説明】
【０００９】
【図１】第１実施形態の浮上油回収装置の断面説明図である。
【図２】第２実施形態の油水分離装置の断面説明図である。
【図３】第２実施形態の油水分離装置の平面説明図である。
【考案を実施するための形態】
【００１０】以下、本考案の実施の形態を図に基づいて説明する。
【００１１】（第１実施形態）図１に示すように、浮上油回収装置１は、タンク内に浮上している油、ゴミなどを含んだ浮上油２７を吸引する吸入口２１を備えた吸引部材であるエルボ２３と、吸入口２１を浮上させるフロート２０と、を備え、フレーム２５に取り付けられたフロート２０をナット２２−ａを介して取り付けたエルボ２３に吸引ホース２４を取り付けたシンプルな構造である。図１には、フロート２０によりエルボ２３が液上に浮いた状態を示す。吸込口２１の高さはナット２２−ａを回すことにより簡単に上下の調整ができる構造になっている。吸入口２１はナット２２−ａで高さを調整して、油面２７より少し低い位置にあるので、油面２７に浮いた油と液との混合液としてポンプ２により排出することができる。  図１では、フロート２０の数が２ヶの場合を例示しているが、安定性を向上させるため３ヶとすることもできる。また、吸引部材として、エルボ２３の代わりにストレートニップルを用いることもできる。
【００１２】（第２実施形態）図２に示すように、油水分離装置２０において、浮上油回収装置１（図１）で吸引した混合液をポンプ２により油水分離装置２０に送り込み、吐出口３を介して下方から混合液室７に吐出される。混合液室７内には、混合液を整流する遮蔽板４と、天井に設けられ、開口部１０に向かって傾斜した傾斜板９と、液が流れる流体管５と、が備えられている。流体管５には、混合液室７側の入口に切欠のテーパー部６−ａが、上部には流体管５を介して液のみを排出する縦長の切欠穴６が設けられている。切欠穴６の大きさは調整ナット８を回すことにより調節できる。混合液室７内の最上部には、油を排出するための開口部１０が設けられている。
【００１３】浮上油回収装置１（図１）により吸引された浮上油２７は、混合液室７内で遮蔽板４で整流されながら、比重差で軽い油は上部へ浮き、油より重い液は下部へ溜まる。密閉された油水分離槽内に充満し、ポンプ２で圧送されて弱い圧力がかかっているので、液はテーパー部６−ａから押し流されて、切欠穴６を通じ排出口６−ｂから外部に排出される。
【００１４】一方、混合液室７内で浮上した油１１は比重差で浮上して傾斜板９にあたり、さらに上部へと浮上する。ここで、開口部１０は切欠穴６よりかなり高い位置にあるため、この状態では吐出口３から出た油の混合液は開口部１０からまだ排出されず、油が上部に溜まっていくが、切欠穴６から液のみの排出が続く。
【００１５】次に、調整ナット８を回して締め込むと切欠穴６が狭くなり流出量が制限されて、混合液室７内の圧力が高まり、油面１１が上昇して開口部１０まで達すると外部へ油が流れ出る。このとき油面１１の油は全部流れ出てしまうのではなく、切欠穴６と弱い圧力でバランスして一定量の油が浮上して溜まるまで開口部１０から油が排出されない。流れ出た油は、図３に示すように、仕切り板１２で切欠穴６と部屋が分かれているので、傾斜板９の上を流れて排出口１０−ａより外部に流れ出る。この状態で液面高さのバランスは保たれ、油は油面１１が上昇したときだけ外へ流れ出る。
【００１６】つまり、調整ナット８を回すことにより、油面１１の高さが調節できるので、高純度の油のみを開口部１０から排出口１０−ａへと流すことができる。そして、排出口６−ｂから排出された液は油タンクへ返すことができる。